(57)【要約】【課題】閾値電圧とβとを求めて画像データの補正を行い、画質を向上させる。【解決手段】表示装置１は、各画素回路１１(i,j)のトランジスタＴ３の閾値電圧Ｖthをオートゼロ法を用いて取得する。さらに、表示装置１は、電流供給電圧測定方式に従って引き込み電流Ｉsinkを供給して電圧Ｖsinkを取得する。コントローラ１３は、取得した閾値電圧Ｖthと、引き込み電流Ｉsink、電圧Ｖsinkに基づいてβを画素回路１１(i,j)（ｉ＝１〜ｍ、ｊ＝１〜ｎ）を取得する。コントローラ１３は、取得した閾値電圧Ｖth，βに基づいて、表示信号生成回路１２から供給された画像データＰicを補正し、データドライバ１６は、電圧信号Ｓv(1)〜Ｓv(m)を各画素回路１１(i,j)に供給することにより、階調電圧の書き込みを行う。【選択図】図１
2010237581.tif 000002
【特許請求の範囲】
【請求項１】
発光素子と駆動素子と保持容量とを有する画素であって、該画素において、前記駆動素子は電流路の一端が前記発光素子の一端に接続され、前記保持容量は前記駆動素子の制御端子と前記電流路の一端との間に接続され、前記画素を一端が前記駆動素子の前記電流路の一端に電気的に接続される信号線を介して駆動する画素駆動装置において、
前記信号線の他端に接続して、前記信号線を介して前記駆動素子の前記制御端子と前記電流路の一端間に該駆動素子の閾値電圧を超える電圧値を有する初期電圧を印加して、前記駆動素子の前記電流路に電流を流して前記保持容量に前記初期電圧に対応する電荷を蓄積した後に、前記信号線との接続を遮断する電圧印加部と、
前記電圧印加部と前記信号線との接続を遮断して、緩和時間が経過した後の前記信号線の他端の電圧を、前記駆動素子の閾値電圧として取得する閾値電圧取得部と、
前記信号線を介して、前記駆動素子の電圧−電流特性を取得する特性取得部と、
前記閾値電圧取得部が取得した前記各駆動素子の前記閾値電圧と、前記特性取得部が取得した前記電圧−電流特性と、に基づいて前記駆動素子の電流増幅率の値を取得する電流増幅率取得部と、
を備えることを特徴とする画素駆動装置。
【請求項２】
前記緩和時間は、前記保持容量に蓄積された電荷の一部が放電されて一定の電荷量に収束する時間に設定されることを特徴とする請求項１に記載の画素駆動装置。
【請求項３】
前記特性取得部は、
予め設定された電流値を有する測定用電流を出力する電流源と、
前記信号線の他端に前記電流源が接続されて、前記駆動素子の前記電流路に前記測定用電流が流れるときの前記信号線の他端の電圧を測定電圧として測定する電圧測定部と、
を備え、前記測定用電流の電流値と前記電圧測定部が測定した電圧の電圧値とに基づいて、前記駆動素子の電圧−電流特性を取得する、
ことを特徴とする請求項１又は２に記載の画素駆動装置。
【請求項４】
前記特性取得部は、
予め設定された測定電圧を出力する電圧源と、
前記信号線の他端に前記電圧源が接続されて、前記信号線の他端に前記測定電圧が印加されたときの前記信号線を介して前記駆動素子の前記電流路に流れる電流を測定電流として測定する電流測定部と、
を備え、前記測定電圧の電圧値と前記電流測定部が測定した前記測定電流の電流値とに基づいて、前記駆動素子の電圧−電流特性を取得する、
ことを特徴とする請求項１又は２に記載の画素駆動装置。
【請求項５】
前記表示駆動装置は、前記閾値電圧取得部及び前記電流増幅率取得部がそれぞれ取得した前記各駆動素子の前記閾値電圧と、前記電流増幅率と、に基づいて、外部から供給される画像データを補正した階調信号を生成する補正処理部を備える、
ことを特徴とする請求項１乃至４のいずれか１項に記載の画素駆動装置。
【請求項６】
複数の信号線と、該各信号線に接続されて配列された複数の画素と、を有し、前記各画素は、発光素子と駆動素子と保持容量とを有し、前記駆動素子の電流路の一端が前記発光素子の一端及び前記各信号線の一端に接続され、前記保持容量が前記駆動素子の制御端子と前記電流路の一端との間に接続されている画素アレイと、
前記各信号線の他端に接続して、該各信号線を介して前記駆動素子の前記制御端子と前記電流路の一端間に該駆動素子の閾値電圧を超える電圧値を有する初期電圧を印加して、前記駆動素子の前記電流路に電流を流して前記保持容量に前記初期電圧に対応する電荷を蓄積した後に、前記信号線との接続を遮断する電圧印加部と、
前記電圧印加部と前記信号線との接続を遮断して、緩和時間が経過した後の前記各信号線の他端の電圧を、前記駆動素子の閾値電圧として取得する閾値電圧取得部と、
前記各信号線を介して、前記駆動素子の電圧−電流特性を取得する特性取得部と、
前記閾値電圧取得部が取得した前記各駆動素子の前記閾値電圧と、前記特性取得部が取得した前記電圧−電流特性と、に基づいて前記各駆動素子の電流増幅率の値を取得する電流増幅率取得部と、を備えた、
ことを特徴とする発光装置。
【請求項７】
前記緩和時間は、前記保持容量に蓄積された電荷の一部が放電されて一定の電荷量に収束する時間に設定されることを特徴とする請求項６に記載の発光装置。
【請求項８】
前記特性取得部は、
予め設定された電流値を有する測定用電流を出力する電流源と、
前記各信号線の他端に前記電流源が接続されて、前記駆動素子の前記電流路に前記測定用電流が流れるときの前記各信号線の他端の電圧を測定電圧として測定する電圧測定部と、
を備え、前記測定用電流の電流値と前記電圧測定部が測定した前記測定電圧の電圧値とに基づいて、前記駆動素子の電圧−電流特性を取得する、
ことを特徴とする請求項６又は７に記載の発光装置。
【請求項９】
前記特性取得部は、
予め設定された測定電圧を出力する電圧源と、
前記各信号線の他端に前記電圧源が接続されて、前記信号線の他端に前記測定電圧が印加されたときの前記信号線を介して前記駆動素子の前記電流路に流れる電流を測定電流として測定する電流測定部と、
を備え、前記測定電圧の電圧値と前記電流測定部が測定した前記測定電流の電流値とに基づいて、前記駆動素子の電圧−電流特性を取得する、
ことを特徴とする請求項６又は７に記載の発光装置。
【請求項１０】
前記閾値電圧取得部及び前記電流増幅率取得部がそれぞれ取得した前記各駆動素子の前記閾値電圧と、前記電流増幅率と、に基づいて、外部から供給される画像データを補正した階調信号を生成する補正処理部を備える、
ことを特徴とする請求項６乃至９のいずれか１項に記載の発光装置。
【請求項１１】
複数の信号線と、該各信号線に接続されて配列された複数の画素と、を有し、前記各画素は発光素子を有し、前記駆動素子の電流路の一端が前記発光素子の一端及び前記各信号線の一端に接続されている画素アレイを備えた発光装置の駆動制御方法であって、
前記各信号線の他端に電圧印加部を接続して、前記電圧印加部より前記各信号線を介して前記駆動素子の前記電流路の両端間に該駆動素子の閾値電圧を超える初期電圧を印加して、前記駆動素子の前記電流路に電流を流して前記保持容量に前記初期電圧に対応する電荷を蓄積するステップと、
前記初期電圧を印加した後、前記各信号線と前記電圧印加部との接続を遮断するステップと、
前記電圧印加部と前記信号線との接続を遮断してから予め設定された緩和時間が経過した後の前記各信号線の他端の電圧を、前記駆動素子の閾値電圧として取得するステップと、
前記各信号線を介して、前記駆動素子の電圧−電流特性を取得するステップと、
取得した前記各駆動素子の前記閾値電圧と、前記電圧−電流特性と、に基づいて前記各駆動素子の電流増幅率を取得するステップと、を備えた、
ことを特徴とする発光装置の駆動制御方法。
【請求項１２】
前記駆動素子の閾値電圧を取得するステップにおける前記緩和時間は、前記保持容量に蓄積された電荷の一部が放電されて一定の電荷量に収束する時間に設定されることを特徴とする請求項１１に記載の発光装置の駆動制御方法。
【請求項１３】
前記駆動素子の電圧−電流特性を取得するステップは、
前記各信号線の他端に予め設定された電流値を有する測定用電流を出力する電流源を接続して、前記駆動素子の前記電流路に前記測定用電流が流れるときの、前記各信号線の他端の電圧を測定電圧として測定し、前記測定用電流の電流値と前記測定電圧の電圧値とに基づいて、前記駆動素子の電圧−電流特性を取得するステップを含む、
ことを特徴とする請求項１１又は１２に記載の発光装置の駆動制御方法。
【請求項１４】
前記駆動素子の電圧−電流特性を取得するステップは、
前記各信号線の他端に予め設定された測定電圧を出力する電圧源を接続して、前記信号線の他端に前記測定電圧が印加されたときの、前記信号線を介して前記駆動素子の前記電流路に流れる電流を測定電流として測定し、前記測定電圧の電圧値と前記測定電流の電流値とに基づいて、前記駆動素子の電圧−電流特性を取得するステップを含む、
ことを特徴とする請求項１１又は１２に記載の発光装置の駆動制御方法。
【請求項１５】
前記各駆動素子の前記閾値電圧と、前記駆電流増幅率と、に基づいて、外部から供給される画像データを補正した階調信号を生成するステップを含む、
ことを特徴とする請求項１１乃至１４のいずれか１項に記載の発光装置の駆動制御方法。
【発明の詳細な説明】
【技術分野】
【０００１】
本発明は、画素駆動装置、発光装置及び発光装置の駆動制御方法に関するものである。
【背景技術】
【０００２】
有機エレクトロルミネッセンス素子（有機ＥＬ素子）は、電場を加えることによって発光する蛍光性の有機化合物によって形成されたものであり、これを用いた有機発光ダイオード（Organic Light Emitting Diode：以下、ＯＬＥＤと記す）素子を各画素に有してなる表示パネルを備えた表示装置は次世代ディスプレイデバイスとして注目されている（例えば、特許文献１参照）。
【０００３】
このＯＬＥＤは、電流駆動素子であり、流れる電流に比例した輝度で発光する。このようなＯＬＥＤを備えた表示装置は、各画素に、電界効果トランジスタ（薄膜トランジスタ）によって構成された駆動トランジスタを備え、駆動トランジスタは、ＯＬＥＤに供給する電流の電流値をゲートに印加された電圧に応じて制御する。
【０００４】
各画素において、駆動トランジスタのゲート−ソース間にはキャパシタが接続され、このキャパシタに、外部から供給された映像信号に対応する電圧が書き込まれ、キャパシタは、この電圧を保持する。
【０００５】
そして、駆動トランジスタは、ドレイン−ソース間に電圧が印加されると、キャパシタが保持した電圧をゲート−ソース間電圧（以後、「ゲート電圧」と記す。）Ｖgsとして、このゲート電圧Ｖgsで電流値を制御しつつ、ＯＬＥＤに電流を供給する。
【０００６】
駆動トランジスタよりＯＬＥＤに供給される電流の電流値は、ゲート電圧Ｖgsの値と、当該駆動トランジスタの特性値（閾値電圧Ｖthや電流増幅率β）に応じて決まる。ここで、閾値電圧Ｖthは画素の駆動履歴により変動することが知られており、閾値電圧Ｖthが変動すると、ゲート電圧Ｖgsが同じでもＯＬＥＤの発光輝度が変動してしまい、そのために表示画質が低下する。
【０００７】
このため、ＯＬＥＤ等の発光素子を画素に有する表示装置において、各画素の閾値電圧Ｖthの値を求め、求めた閾値電圧Ｖthの値に基づいて、映像信号に対応して駆動トランジスタのゲート−ソース間に印加する電圧の電圧値を補正して、表示画質の向上を図るようにした表示装置の開発が進められている。
【先行技術文献】
【特許文献】
【０００８】
【特許文献１】特開２００３−２７１０９５号公報（第５頁、図１）
【発明の概要】
【発明が解決しようとする課題】
【０００９】
しかし、電流増幅率βも例えば製造プロセス要因により画素間でばらつきが生じることがある。電流増幅率βが画素間でばらついていると、各画素の閾値電圧Ｖthの値を求めて駆動トランジスタのゲート−ソース間に印加する電圧の電圧値を補正したとしても、電流増幅率βの画素間のばらつきに起因する表示画質の低下は解消されない。
【００１０】
本発明は、このような従来の問題点に鑑みてなされたもので、各画素の閾値電圧の変動及び各画素の電流増幅率のばらつきによる表示画質の低下を抑制することが可能な画素駆動装置、発光装置及び発光装置の駆動制御方法を提供することを目的とする。
【課題を解決するための手段】
【００１１】
この目的を達成するため、本発明の第１の観点に係る画素駆動装置は、
発光素子と駆動素子と保持容量とを有する画素であって、該画素において、前記駆動素子は電流路の一端が前記発光素子の一端に接続され、前記保持容量は前記駆動素子の制御端子と前記電流路の一端との間に接続され、前記画素を一端が前記駆動素子の前記電流路の一端に電気的に接続される信号線を介して駆動する画素駆動装置において、
前記信号線の他端に接続して、前記信号線を介して前記駆動素子の前記制御端子と前記電流路の一端間に該駆動素子の閾値電圧を超える電圧値を有する初期電圧を印加して、前記駆動素子の前記電流路に電流を流して前記保持容量に前記初期電圧に対応する電荷を蓄積した後に、前記信号線との接続を遮断する電圧印加部と、
前記電圧印加部と前記信号線との接続を遮断して、緩和時間が経過した後の前記信号線の他端の電圧を、前記駆動素子の閾値電圧として取得する閾値電圧取得部と、
前記信号線を介して、前記駆動素子の電圧−電流特性を取得する特性取得部と、
前記閾値電圧取得部が取得した前記各駆動素子の前記閾値電圧と、前記特性取得部が取得した前記電圧−電流特性と、に基づいて前記駆動素子の電流増幅率の値を取得する電流増幅率取得部と、を備えることを特徴とする。
【００１２】
前記緩和時間は、前記保持容量に蓄積された電荷の一部が放電されて一定の電荷量に収束する時間に設定されてもよい。
【００１３】
前記特性取得部は、
予め設定された電流値を有する測定用電流を出力する電流源と、
前記信号線の他端に前記電流源が接続されて、前記駆動素子の前記電流路に前記測定用電流が流れるときの前記信号線の他端の電圧を測定電圧として測定する電圧測定部と、
を備え、前記測定用電流の電流値と前記電圧測定部が測定した電圧の電圧値とに基づいて、前記駆動素子の電圧−電流特性を取得するようにしてもよい。
【００１４】
前記特性取得部は、
予め設定された測定電圧を出力する電圧源と、
前記信号線の他端に前記電圧源が接続されて、前記信号線の他端に前記測定電圧が印加されたときの前記信号線を介して前記駆動素子の前記電流路に流れる電流を測定電流として測定する電流測定部と、
を備え、前記測定電圧の電圧値と前記電流測定部が測定した前記測定電流の電流値とに基づいて、前記駆動素子の電圧−電流特性を取得するようにしてもよい。
【００１５】
前記表示駆動装置は、前記閾値電圧取得部及び前記電流増幅率取得部がそれぞれ取得した前記各駆動素子の前記閾値電圧と、前記電流増幅率と、に基づいて、外部から供給される画像データを補正した階調信号を生成する補正処理部を備えるようにしてもよい。
【００１６】
本発明の第２の観点に係る発光装置は、
複数の信号線と、該各信号線に接続されて配列された複数の画素と、を有し、前記各画素は、発光素子と駆動素子と保持容量とを有し、前記駆動素子の電流路の一端が前記発光素子の一端及び前記各信号線の一端に接続され、前記保持容量が前記駆動素子の制御端子と前記電流路の一端との間に接続されている画素アレイと、
前記各信号線の他端に接続して、該各信号線を介して前記駆動素子の前記制御端子と前記電流路の一端間に該駆動素子の閾値電圧を超える電圧値を有する初期電圧を印加して、前記駆動素子の前記電流路に電流を流して前記保持容量に前記初期電圧に対応する電荷を蓄積した後に、前記信号線との接続を遮断する電圧印加部と、
前記電圧印加部と前記信号線との接続を遮断して、緩和時間が経過した後の前記各信号線の他端の電圧を、前記駆動素子の閾値電圧として取得する閾値電圧取得部と、
前記各信号線を介して、前記駆動素子の電圧−電流特性を取得する特性取得部と、
前記閾値電圧取得部が取得した前記各駆動素子の前記閾値電圧と、前記特性取得部が取得した前記電圧−電流特性と、に基づいて前記各駆動素子の電流増幅率の値を取得する電流増幅率取得部と、を備えたことを特徴とする。
【００１７】
前記緩和時間は、前記保持容量に蓄積された電荷の一部が放電されて一定の電荷量に収束する時間に設定されてもよい。
【００１８】
前記特性取得部は、
予め設定された電流値を有する測定用電流を出力する電流源と、
前記各信号線の他端に前記電流源が接続されて、前記駆動素子の前記電流路に前記測定用電流が流れるときの前記各信号線の他端の電圧を測定電圧として測定する電圧測定部と、
を備え、前記測定用電流の電流値と前記電圧測定部が測定した前記測定電圧の電圧値とに基づいて、前記駆動素子の電圧−電流特性を取得するようにしてもよい。
【００１９】
前記特性取得部は、
予め設定された測定電圧を出力する電圧源と、
前記各信号線の他端に前記電圧源が接続されて、前記信号線の他端に前記測定電圧が印加されたときの前記信号線を介して前記駆動素子の前記電流路に流れる電流を測定電流として測定する電流測定部と、
を備え、前記測定電圧の電圧値と前記電流測定部が測定した前記測定電流の電流値とに基づいて、前記駆動素子の電圧−電流特性を取得するようにしてもよい。
【００２０】
前記閾値電圧取得部及び前記電流増幅率取得部がそれぞれ取得した前記各駆動素子の前記閾値電圧と、前記電流増幅率と、に基づいて、外部から供給される画像データを補正した階調信号を生成する補正処理部を備えるようにしてもよい。
【００２１】
本発明の第３の観点に係る発光装置の駆動制御方法は、
複数の信号線と、該各信号線に接続されて配列された複数の画素と、を有し、前記各画素は発光素子を有し、前記駆動素子の電流路の一端が前記発光素子の一端及び前記各信号線の一端に接続されている画素アレイを備えた発光装置の駆動制御方法であって、
前記各信号線の他端に電圧印加部を接続して、前記電圧印加部より前記各信号線を介して前記駆動素子の前記電流路の両端間に該駆動素子の閾値電圧を超える初期電圧を印加して、前記駆動素子の前記電流路に電流を流して前記保持容量に前記初期電圧に対応する電荷を蓄積するステップと、
前記初期電圧を印加した後、前記各信号線と前記電圧印加部との接続を遮断するステップと、
前記電圧印加部と前記信号線との接続を遮断してから予め設定された緩和時間が経過した後の前記各信号線の他端の電圧を、前記駆動素子の閾値電圧として取得するステップと、
前記各信号線を介して、前記駆動素子の電圧−電流特性を取得するステップと、
取得した前記各駆動素子の前記閾値電圧と、前記電圧−電流特性と、に基づいて前記各駆動素子の電流増幅率を取得するステップと、を備えたことを特徴とする。
【００２２】
前記駆動素子の閾値電圧を取得するステップにおける前記緩和時間は、前記保持容量に蓄積された電荷の一部が放電されて一定の電荷量に収束する時間に設定されるようにしてもよい。
【００２３】
前記駆動素子の電圧−電流特性を取得するステップは、
前記各信号線の他端に予め設定された電流値を有する測定用電流を出力する電流源を接続して、前記駆動素子の前記電流路に前記測定用電流が流れるときの、前記各信号線の他端の電圧を測定電圧として測定し、前記測定用電流の電流値と前記測定電圧の電圧値とに基づいて、前記駆動素子の電圧−電流特性を取得するステップを含むものであってもよい。
【００２４】
前記駆動素子の電圧−電流特性を取得するステップは、
前記各信号線の他端に予め設定された測定電圧を出力する電圧源を接続して、前記信号線の他端に前記測定電圧が印加されたときの、前記信号線を介して前記駆動素子の前記電流路に流れる電流を測定電流として測定し、前記測定電圧の電圧値と前記測定電流の電流値とに基づいて、前記駆動素子の電圧−電流特性を取得するステップを含むものであってもよい。
【００２５】
前記各駆動素子の前記閾値電圧と、前記駆電流増幅率と、に基づいて、外部から供給される画像データを補正した階調信号を生成するステップを含むものであってもよい。
【発明の効果】
【００２６】
本発明によれば、各画素の閾値電圧の変動及び各画素の電流増幅率のばらつきによる表示画質の低下を抑制することができる。
【図面の簡単な説明】
【００２７】
【図１】本発明の実施形態に係る表示装置の構成を示すブロック図である。
【図２】図１に示す画素回路の構成を示す図である。
【図３】図２に示す駆動用トランジスタの電流−電圧特性を示す図である。
【図４】オートゼロ法を説明するための図である。
【図５】電流供給電圧測定方式を説明するための図である。
【図６】図１に示すコントローラの構成を示す図である。
【図７】図１に示すデータドライバと特性取得切り替え部の構成を示す図である。
【図８】オートゼロ法を用いて駆動トランジスタの閾値電圧を取得するときの動作を示すタイミングチャートである。
【図９】オートゼロ法を用いて駆動トランジスタの閾値電圧を取得するときの動作を示す図である。
【図１０】電流供給電圧測定方式に従って電圧を測定するときの動作を示すタイミングチャートである。
【図１１】電流供給電圧測定方式に従って電圧を測定するときの動作を説明するための図である。
【図１２】書き込み処理時の動作を示すタイミングチャートである。
【図１３】発光時の動作を示すタイミングチャートである。
【発明を実施するための形態】
【００２８】
以下、本発明の実施形態に係る発光装置を、図面を参照して説明する。なお、本実施形態では、発光装置を表示装置として説明する。
本実施形態に係る表示装置の構成を図１に示す。
本実施形態に係る表示装置（発光装置）１は、ＯＥＬパネル（画素アレイ）１１と、表示信号生成回路１２と、コントローラ１３と、セレクトドライバ１４と、電源ドライバ１５と、データドライバ１６と、特性取得切り替え部１７と、によって構成される。
【００２９】
ＯＥＬパネル１１は、複数の画素回路１１(i,j)（ｉ＝１〜ｍ、ｊ＝１〜ｎ，ｍ，ｎ；自然数）を備えたものである。
【００３０】
各画素回路１１(i,j)は、それぞれ、画像の１画素に対応する表示画素であり、行列配置される。各画素回路１１(i,j)は、図２に示すような回路構成を有する画素回路によって構成され、ＯＬＥＤ（発光素子）１１１と、トランジスタＴ１〜Ｔ３と、キャパシタ（保持容量）Ｃ１と、を備える。ここで、トランジスタＴ１〜Ｔ３と、キャパシタＣ１と、は画素駆動回路ＤＣをなす。
【００３１】
ＯＬＥＤ１１１は、有機化合物に注入された電子と正孔との再結合によって生じた励起子によって発光する現象を利用して発光する電流制御型の発光素子（表示素子）であり、供給された電流の電流値に対応する輝度で発光する。
【００３２】
ＯＬＥＤ１１１は、画素電極と対極電極とを備え、電流は、画素電極から対極電極方向へと流れ、逆方向には流れない。この画素電極、対極電極が、それぞれ、アノード電極、カソード電極となる。このカソード電極には、カソード電圧Ｖcathが印加される。本実施形態では、Ｖcath＝０Ｖとする。
【００３３】
画素駆動回路ＤＣにおけるトランジスタＴ１〜Ｔ３は、ｎチャンネル型のＦＥＴ（Field Effect Transistor；電界効果トランジスタ）によって構成されたＴＦＴであり、例えば、アモルファスシリコン又はポリシリコンＴＦＴによって構成されている。
【００３４】
トランジスタＴ３は、ＯＬＥＤ１１１に供給する電流の電流値を制御する駆動トランジスタ（駆動素子）である。トランジスタＴ３の電流路の上端としてのドレインは、電圧ラインＬv(j)に接続され、電流路の下端としてのソースはＯＬＥＤ１１１のアノードに接続される。
【００３５】
そして、トランジスタＴ３は、制御電圧としてのゲート電圧Ｖgsに対応する電流値の電流をＯＬＥＤ１１１に供給する。
【００３６】
トランジスタＴ１は、トランジスタＴ３のゲート（制御端）とドレイン間を接続又は遮断するためのスイッチトランジスタである。
【００３７】
各画素回路１１(i,j)のトランジスタＴ１のドレイン（端子）は、電圧ラインＬv(j)（トランジスタＴ３のドレイン）に接続され、ソース（端子）は、トランジスタＴ３の制御端としてのゲートに接続される。
【００３８】
各画素回路１１(1,1)〜１１(m,1)のトランジスタＴ１のゲート（端子）は、セレクトラインＬs(1)に接続される。同様に、各画素回路１１(1,2)〜１１(m,2)のトランジスタＴ１のゲートは、セレクトラインＬs(2)に、・・・、各画素回路１１(1,n)〜１１(m,n)のトランジスタＴ１のゲートは、セレクトラインＬs(n)に、それぞれ、接続される。
【００３９】
画素回路１１(1,1)の場合、セレクトドライバ１４からセレクトラインＬs(1)にＨｉ（High；ハイ）レベルの信号が出力されると、トランジスタＴ１はオンし、トランジスタＴ３はゲートとドレインが接続されて、ダイオード接続状態となる。
【００４０】
セレクトラインＬs(1)にＬｏ（Low；ロー）レベルの信号が出力されると、トランジスタＴ１は、オフする。
【００４１】
トランジスタＴ２は、セレクトドライバ１４によって選択されてオン、オフし、トランジスタＴ３のソース及びＯＬＥＤ１１１のアノードと、データドライバ１６と、の間を導通、遮断するためのスイッチトランジスタである。
【００４２】
各画素回路１１(i,j)のトランジスタＴ２のドレインは、ＯＬＥＤ１１１のアノード（電極）に接続される。
【００４３】
各画素回路１１(1,1)〜１１(m,1)のトランジスタＴ２のゲートは、セレクトラインＬs(1)に接続される。同様に、各画素回路１１(2,1)〜１１(m,2)のトランジスタＴ２のゲートは、セレクトラインＬs(2)に、・・・、各画素回路１１(1,n)〜１１(m,n)のトランジスタＴ２のゲートは、セレクトラインＬs(n)に接続される。
【００４４】
また、各画素回路１１(1,1)〜１１(1,n)のトランジスタＴ２の他端としてのソースは、信号線としてのデータラインＬd(１)に接続される。同様に、各画素回路１１(2,1)〜１１(2,n)のトランジスタＴ２のソースは、データラインＬd(2)に、・・・、各画素回路１１(m,1)〜１１(m,n)のトランジスタＴ２のソースは、データラインＬd(m)に接続される。
【００４５】
画素回路１１(1,1)の場合、トランジスタＴ２は、セレクトドライバ１４から、セレクトラインＬs(1)にＨｉレベルの信号が出力されるとオンしてＯＬＥＤ１１１のアノードとデータラインＬd(1)とを接続する。
【００４６】
また、セレクトラインＬs(1)にＬｏレベルの信号が出力されると、トランジスタＴ２はオフしてＯＬＥＤ１１１のアノードとデータラインＬd(1)とを遮断する。
【００４７】
キャパシタＣ１は、トランジスタＴ３のゲートとソース間に接続されて、ゲート電圧Ｖgsを保持する容量成分であり、その一端は、トランジスタＴ１のソースとトランジスタＴ３のゲートとに接続され、他端はトランジスタＴ３のソースとＯＬＥＤ１１１のアノードとに接続される。
【００４８】
キャパシタＣ１は、電圧ラインＬv(j)からトランジスタＴ２のドレインに向けてドレイン電流Ｉdが流れるとき、トランジスタＴ３はオン状態となり、対応するトランジスタＴ３のゲート電圧Ｖgsで充電され、その電荷が蓄積される。
【００４９】
トランジスタＴ１及びＴ２がオフすると、キャパシタＣ１は、トランジスタＴ３のゲート電圧Ｖgsを保持する。
【００５０】
図１に戻り、表示信号生成回路１２は、例えば、コンポジット映像信号、コンポーネント映像信号のような映像信号Imageが外部から供給され、供給された映像信号Imageから輝度信号のような画像データＰic、同期信号Ｓyncを取得するものである。表示信号生成回路１２は、取得した画像データＰic、同期信号Ｓyncをコントローラ１３に供給する。
【００５１】
コントローラ１３は、各部に制御信号等を供給して、書き込み処理、ＯＬＥＤ１１１の発光動作を制御するものである。
【００５２】
書き込み処理は、各画素回路１１(i,j)のキャパシタＣ１に、画像データＰicの階調値に対応する電圧を書き込む処理であり、発光動作は、ＯＬＥＤ１１１を発光させる動作である。
【００５３】
まず、画像を表示させるときの一般的なディスプレイ特性について説明する。人の視覚特性を考えた場合、ディスプレイの輝度Ｌが入力信号強度Ｓigに正比例する特性では、入力信号強度Ｓigが弱くなるに従って、暗く感じられる。
【００５４】
このため、ディスプレイ特性は、次の式（１）に示すような特性（γ＞１）にした方が好ましいとされる。
【数１】
2010237581.tif 000003
【００５５】
この式（１）に示す特性は、いわゆるディスプレイのガンマ特性と呼ばれるものであり、このγはガンマ値と呼ばれる。このγは、例えば、２とされる。
【００５６】
このＯＬＥＤ１１１を用いた表示装置１がこのガンマ特性（γ＝２）を有しているようにする場合に、画像データＰicの階調値に対応する電圧値をＶcodeとして、入力信号強度Ｓigが式（２）で表わされるものとする。ここで、βmは比例係数としてのゲインである。
【数２】
2010237581.tif 000004
【００５７】
ここで、ディスプレイの輝度ＬはＯＬＥＤ１１１の発光輝度に対応し、ＯＬＥＤ１１１の発光輝度は、ＯＬＥＤ１１１に流れる電流の電流値Ｉelに比例する。従って、入力信号強度Ｓigと画像データＰicの階調値に対応する電圧値Ｖcodeとの関係が式（２）によって表されたとき、ＯＬＥＤ１１１に流れる電流の電流値Ｉelと電圧値Ｖcodeとの関係は、次画像データの式（３）で表される関係であることが必要となる。
【数３】
2010237581.tif 000005
【００５８】
一方、本実施形態の各画素１１(i,j)において、発光動作時にＯＬＥＤ１１１に流れる電流は、書き込み動作時にトランジスタＴ３に流れるドレイン電流Ｉdに等しく、このドレイン電流Ｉdと、データラインＬd(i)に印加される電圧Ｖdataとは、次の式（４）に示す関係を有している。
【数４】
2010237581.tif 000006
【００５９】
そして、この式（４）のドレイン電流Ｉdと式（３）に示すＯＬＥＤ１１１に流れる電流Ｉelとが等しいことから、データラインＬd(i)に印加される電圧Ｖdataと画像データＰicの階調値に対応する電圧値Ｖcodeとの関係は、次の式（５）によって表される。
【数５】
2010237581.tif 000007
【００６０】
従って、表示信号生成回路１２から供給される画像データＰicの階調値に対応する電圧値Ｖcodeを、この式（５）に従って補正すれば、画像データＰicに対応する輝度を得ることができ、式（１）に示すディスプレイ特性が得られるようになる。
【００６１】
しかし、トランジスタＴ３は、図３に示すように、ドレイン電流Ｉdが流れることによって、経時劣化し、式（５）に示す閾値電圧Ｖthは、トランジスタＴ３の経時劣化によりシフトする。
【００６２】
尚、図中、ＶＩ_0は、閾値電圧Ｖthが工場出荷時の初期値，βが標準値の場合のトランジスタＴ３の電流−電圧特性を示す。
【００６３】
閾値電圧ＶthがΔＶthだけシフトすると、トランジスタＴ３の電流−電圧特性ＶＩ_0は、特性ＶＩ_1に変化する。
【００６４】
また、式（５）に示すβも、製造プロセス要因により、画素回路１１(i,j)毎にばらつく。β＝（β0＋Δβ）となった場合、トランジスタＴ３のドレイン電流−ゲート電圧（＝ドレイン電圧）特性ＶＩ_0は、特性ＶＩ_2になり、β＝（β0−Δβ）となった場合、トランジスタＴの電流−電圧特性ＶＩ_0は、特性ＶＩ_3になる。
【００６５】
この閾値電圧Ｖthの変化、βのばらつきは、表示装置１の画質（ディスプレイ特性）に影響するため、閾値電圧Ｖthとβとを求め、求めた閾値電圧Ｖth、βに基づいて画像データＰicを補正しなければならない。
【００６６】
本実施形態では、計算を容易にするため、各画素回路１１(i,j)の閾値電圧Ｖthをオートゼロ法を用いて取得し、さらに、トランジスタＴ３のドレイン電流Ｉd、ドレイン電圧を電流供給電圧測定方式に従って取得し、βを取得する。
【００６７】
図４（ａ），（ｂ）は、このオートゼロ（Auto Zero）法を説明するための図である。尚、画素回路１１(i,j)を図２に示すような回路構成の画素回路とした場合、セレクトドライバ１４は、Ｈｉｇｈレベルのセレクト信号Ｖselect(j)をセレクトラインＬs(j)に出力する。
【００６８】
このオートゼロ法では、図４（ａ）に示すように、閾値電圧Ｖthを超える初期電圧ＶprimaryをトランジスタＴ３のドレイン−ソース（ゲート−ソース）間に印加して、トランジスタＴ３をオン状態にした後、トランジスタＴ３をハイインピーダンス状態とする。
【００６９】
トランジスタＴ３をハイインピーダンス状態にすると、トランジスタＴ３から外部へ電流は流れないようにされるが、キャパシタＣ１に蓄積された電荷によりトランジスタＴ３はオン状態を維持して、トランジスタＴ３のドレイン−ソース間にはキャパシタＣ１に蓄積された電荷に基づくドレイン電流Ｉdが流れ続ける。このため、ハイインピーダンス状態にされると、キャパシタＣ１に蓄積された初期電圧Ｖprimaryに対応する電荷は次第に放電されて、トランジスタＴ３のドレイン電圧Ｖds（ゲート電圧Ｖgs）は、図４（ｂ）に示すように、初期電圧Ｖprimaryから次第に低下（自然緩和）していく。
【００７０】
オートゼロ法は、図４（ｂ）に示すように、ハイインピーダンス状態にされてから、ドレイン電流Ｉdが流れなくなるときの時間に設定される緩和時間ｔｍが経過した時点でのドレイン電圧Ｖds（ゲート電圧Ｖgs）を、閾値電圧Ｖthとして測定する手法である。このとき、キャパシタＣ１に蓄積されている電荷は、初期電圧Ｖprimaryに対応する電荷の一部が放電されて、閾値電圧Ｖthに対応する一定の電荷量に収束した状態となっている。
【００７１】
この場合、ハイインピーダンス状態にされてからの経過時間をｔとして、ドレイン電圧Ｖdsの電位変化Ｖds(t)は、次の式（６）によって表される。
【数６】
2010237581.tif 000008
尚、式（６）において、Ｃｐは、キャパシタＣ１の容量値を示す。式（６）において、ｔ＝∞とするとＶds（∞）＝Ｖthとなる。すなわち、時間の経過によってVds(t)は閾値電圧Ｖthに漸近するものの理論的には完全には一致しないが、図４（ｂ）に示すように、緩和時間ｔｍをＶds（ｔ）が閾値電圧Ｖthに殆ど等しくなる時間に設定することで、Ｖds（ｔｍ）は閾値電圧Ｖthに殆ど等しくなる。このオートゼロ法を用いることにより、閾値電圧Ｖthは比較的容易に決定される。
【００７２】
コントローラ１３は、特性取得切り替え部１７から、行毎に対応して、電圧Ｖd(1)〜Ｖd(m)が供給される。オードゼロ法を用いて閾値電圧Ｖthを測定した場合、特性取得切り替え部１７から供給される電圧Ｖd(1)〜Ｖd(m)は、第ｊ行の画素回路１１(1,j)〜１１(m,j)の各トランジスタＴ３の閾値電圧Ｖthとなる。
【００７３】
次に、電流供給電圧測定方式は、図５に示すように、引き込み電流Ｉsinkを引き込んだときの電圧Ｖsinkを測定する方式である。この電圧Ｖsinkは、トランジスタＴ３のドレイン電圧を０Ｖとして配線抵抗等を無視すれば、トランジスタＴ３のドレイン−ソース間電圧になる。この場合、βは、次の式（７）によって表される。閾値電圧Ｖthの値が既知である場合、この式（７）によってβを求めることができる。
【数７】
2010237581.tif 000009
【００７４】
尚、βのばらつきは、経時変化しないものと考えられるため、例えば実使用時前の工場出荷時等に一度βを決定すれば、通常、再度、βを求める必要はない。但し、必要に応じて、実使用時の任意のタイミングで、再度、βの測定を行ってもよい。
【００７５】
一方、閾値電圧Ｖthは、経時的な変化があるため、例えば、表示装置１の実使用時の起動時や映像を表示する毎に、あるいは、定期的に測定を行う必要がある。
【００７６】
コントローラ１３は、このようにして求めた閾値電圧Ｖth，βを用いて補正を行うため、図６に示すように、Ａ／Ｄ変換器１３１と、補正データ記憶部１３２と、補正処理部１３３と、を備える。
【００７７】
Ａ／Ｄ変換器１３１は、特性取得切り替え部１７から行毎に供給されたアナログの電圧Ｖd(1)〜Ｖd(m)をデジタルの電圧Ｖd(1)〜Ｖd(m)に変換するものである。
【００７８】
Ａ／Ｄ変換器１３１は、オートゼロ法を用いた場合、特性取得切り替え部１７から供給された電圧Ｖd(1)〜Ｖd(m)を、選択された第ｊ行の画素回路１１(1,j)〜１１(m,j)の各トランジスタＴ３の閾値電圧Ｖthとして取得し、デジタル値に変換する。
【００７９】
Ａ／Ｄ変換器１３１は、電流供給電圧測定方式を用いた場合、特性取得切り替え部１７から供給された電圧Ｖd(1)〜Ｖd(m)を、選択された第ｊ行の各電圧Ｖsinkとして取得し、デジタル値に変換する。
【００８０】
Ａ／Ｄ変換器１３１は、デジタル値に変換した閾値電圧Ｖth、電圧Ｖsinkを補正処理部１３３に供給する。補正処理部１３３は、供給された閾値電圧Ｖth、電圧Ｖsinkを補正データ記憶部１３２に記憶する。なお、コントローラ１３において、Ａ／Ｄ変換器１３１は、例えば、ＯＥＬパネル１１の列数（ｍ）と同じ数だけ設けられている。
【００８１】
補正データ記憶部１３２は、表示信号生成回路１２から画像データＰicが供給されると、各画素１１(i,j)の画像データＰicを記憶するとともに、各画素回路１１(i,j)のトランジスタＴ３の電圧−電流特性に関するデータ、画像データＰicの補正に関するデータを記憶するものである。
【００８２】
補正データ記憶部１３２には、画像データＰicの値を記憶する記憶領域、閾値電圧Ｖthの値を記憶する記憶領域、電圧Ｖsinkの値を記憶する記憶領域が画素回路１１(i,j)毎に対応して設けられている。また、補正データ記憶部１３２は、各画素回路１１(i,j)のトランジスタＴ３の電圧−電流特性に関するデータとして、引き込み電流Ｉsinkの値を記憶する。
【００８３】
補正処理部１３３は、補正処理を行うものである。補正処理部１３３は、補正データ記憶部１３２から閾値電圧Ｖthと電圧Ｖsinkとの値を行毎に読み出し、引き込み電流（値）Ｉsinkの値を読み出す。
【００８４】
そして、補正処理部１３３は、読み出した閾値電圧Ｖthと電圧Ｖsinkと引き込み電流（値）Ｉsinkとから、式（７）に従って演算を行い、トランジスタＴ３の電圧−電流特性に関するデータとして各画素回路１１(i,j)のβを取得する。補正処理部１３３は、画素回路１１(i,j)毎に対応して取得したβを補正データ記憶部１３２の記憶領域に記憶する。
【００８５】
そして、補正処理部１３３は、補正データ記憶部１３２から画像データＰic、各画素回路１１(i,j)のトランジスタＴ３の閾値電圧Ｖth、βを行毎に対応して読み出して、画像データＰicを補正した階調信号Ｓdata(i)を生成する。
【００８６】
コントローラ１３は、補正処理部１３３が補正したデータを、選択された第ｊ行の画素回路１１(1,j)〜１１(m,j)に対応する階調信号Ｓdata(1)〜Ｓdata(m)として、行毎にデータドライバ１６に出力する。
【００８７】
また、コントローラ１３は、外部から映像信号Imageが供給されたとき、表示信号生成回路１２から供給された同期信号Ｓyncに同期したクロック信号ＣＬＫ、動作を開始させるためのスタート信号Ｓｐ等の各種制御信号を生成する。
【００８８】
コントローラ１３は、生成したこれらの制御信号をセレクトドライバ１４、電源ドライバ１５、データドライバ１６に供給する。
【００８９】
図１に戻り、セレクトドライバ１４は、ＯＥＬパネル１１の行を、順次、選択するドライバであり、例えば、シフトレジスタによって構成される。セレクトドライバ１４は、それぞれ、セレクトラインＬs(j)（ｊ＝１〜ｎ）を介して各画素回路１１(i,j)のトランジスタＴ１，Ｔ２のゲートに接続される。
【００９０】
セレクトドライバ１４は、コントローラ１３から垂直制御信号として供給される垂直同期信号に同期したスタート信号Ｓｐに同期して動作し、コントローラ１３から垂直制御信号として供給されるクロック信号ＣＬＫ１に従い、順次、第１行目の画素回路１１(1,1)〜１１(m,1)、・・・、第ｎ行目の画素回路１１(1,n)〜１１(m,n)に、Ｈｉレベルのセレクト信号Ｖselect(j)を出力することにより、ＯＥＬパネル１１の行を、順次、選択する。
【００９１】
電源ドライバ１５は、電圧ラインＬv(1)〜Ｌv(n)に、それぞれ、電圧VL又はVHの信号Ｖsource(1)〜Ｖsource(n)を出力するドライバである。電源ドライバ１５は、それぞれ、電圧ラインＬv(j)（ｊ＝１〜ｎ）を介して、各画素回路１１(i,j)のトランジスタＴ３のドレインに接続される。
【００９２】
電源ドライバ１５は、コントローラ１３からスタート信号Ｓｐが供給されて動作を開始し、コントローラ１３から供給されたクロック信号ＣＬＫに従って動作する。
【００９３】
そして、電源ドライバ１５は、電圧VL又はVHの電圧信号Ｖsource(1)〜Ｖsource(n)を出力する。電圧VLは、書き込み処理時等において、各画素回路１１(i,j)のＯＬＥＤ１１１を非発光状態にするための電圧である。本実施形態では、ＯＬＥＤ１１１のカソード電圧Ｖcathが０Ｖに設定され、電圧VLは、０Ｖ、もしくは、０Ｖより低い電位に設定される。
【００９４】
電圧VHは、各画素回路１１(i,j)のＯＬＥＤ１１１を発光状態とするための電圧である。本実施形態では、電圧VHは、例えば、＋１５Ｖに設定される。
【００９５】
データドライバ１６は、アナログの階調電圧Ｖdata(i)の電圧信号Ｓv(i)をデータラインＬd(i)に出力して、階調電圧Ｖdata(i)を、画素回路１１(i,j)毎にトランジスタＴ３のゲート−ソース間に接続されたキャパシタＣ１に書き込むものである。
【００９６】
データドライバ１６は、図７に示すように、シフトレジスタ１６１と、データラッチ部１６２と、Ｄ／Ａ変換部１６３と、を備える。
【００９７】
シフトレジスタ１６１は、コントローラ１３から供給されたデジタルの階調信号Ｓdata(1)〜Ｓdata(m)を順次、シフトするものであり、シフトした階調信号Ｓdata(1)〜Ｓdata(m)をデータラッチ部１６２に供給する。
【００９８】
データラッチ部１６２は、シフトレジスタ１６１から供給された階調信号Ｓdata(1)〜Ｓdata(m)を保持するものである。
【００９９】
Ｄ／Ａ変換部１６３は、データラッチ部１６２が保持したデジタルの階調信号Ｓdata(1)〜Ｓdata(m)のそれぞれの階調電圧Ｖdata(1)〜Ｖdata(m)を、それぞれ、アナログ値（負）に変換するものである。
【０１００】
Ｄ／Ａ変換部１６３は、変換したアナログ（負）の階調電圧Ｖdata(1)〜Ｖdata(m)をそれぞれ有する電圧信号Ｓv(1)〜Ｓv(m)を特性取得切り替え部１７に供給する。
【０１０１】
尚、Ｄ／Ａ変換部１６３は、各画素回路１１(i,j)の閾値電圧Ｖthをオートゼロ法を用いて取得するときは、データラインＬd(1)〜Ｌd(m)に初期電圧Ｖprimaryの信号を特性取得切り替え部１７に出力する。
【０１０２】
特性取得切り替え部１７は、データドライバ１６から供給された電圧信号Ｓv(1)〜Ｓv(m)、初期電圧Ｖprimaryの信号又は引き込み電流ＩsinkをデータラインＬd(1)〜Ｌd(m)に出力するものであり、図７に示すように、定電流源１７１(1)〜１７１(m)と、トランジスタＴ１１(1)〜Ｔ１１(m)，Ｔ１２(1)〜Ｔ１２(m)，Ｔ１３(1)〜Ｔ１３(m)と、を備える。
【０１０３】
定電流源１７１(1)〜１７１(m)は、それぞれ、列毎に、トランジスタＴ３を介してデータラインＬd(1)〜Ｌd(m)から、定電流として予め設定された電流値の引き込み電流Ｉsinkを引き込むための電流源である。定電流源１７１(1)〜１７１(m)のそれぞれの電流下流端は電位Ｖssに設定される。
【０１０４】
トランジスタＴ１１(1)〜Ｔ１１(m)，Ｔ１２(1)〜Ｔ１２(m)，Ｔ１３(1)〜Ｔ１２(m)は、ｎチャンネル型のＦＥＴによって構成されたＴＦＴである。
【０１０５】
トランジスタＴ１１(1)〜Ｔ１１(m)は、コントローラ１３から供給された制御信号Ｃg1に従ってオン、オフして、データドライバ１６とＯＥＬパネル１１との接続、遮断を行うトランジスタである。トランジスタＴ１１(1)〜Ｔ１１(m)のソースは、データドライバ１６のＤ／Ａ変換部１６３に接続される。
【０１０６】
トランジスタＴ１１(1)〜Ｔ１１(m)は、コントローラ１３からゲートにＨｉｇｈレベルの制御信号Ｃg1（以後、「制御信号Ｃg1(High)」と記す。）が供給されてオンし、それぞれ、Ｄ／Ａ変換部１６３とデータラインＬd(1)〜Ｌd(m)とを接続する。
【０１０７】
トランジスタＴ１１(1)〜Ｔ１１(m)は、コントローラ１３からゲートにＬｏｗレベルの制御信号Ｃg1（以後、「制御信号Ｃg1(Low)」と記す。）が供給されてオフし、それぞれ、Ｄ／Ａ変換部１６３とデータラインＬd(1)〜Ｌd(m)との間を遮断する。
【０１０８】
トランジスタＴ１２(1)〜Ｔ１２(m)は、それぞれ、電流源１７１(1)〜１７１(m)と、データラインＬd(1)〜Ｌd(m)と,の間を接続、遮断するトランジスタである。
【０１０９】
トランジスタＴ１２(1)〜Ｔ１２(m)のドレインは、それぞれ、データラインＬd(1)〜Ｌd(m)に接続され、ソースは、定電流源１７１(1)〜１７１(m)の電流上流端に接続される。ゲートは、それぞれ、コントローラ１３に接続されて、コントローラ１３から制御信号Ｃg2が供給される。
【０１１０】
トランジスタＴ１２(1)〜Ｔ１２(m)は、コントローラ１３からゲートにＨｉｇｈレベルの制御信号Ｃg2（以後、「制御信号Ｃg2(High)」と記す。）が供給されてオンし、それぞれ、定電流源１７１(1)とデータラインＬd(1)、・・・、定電流源１７１(m)とデータラインＬd(m)と、を接続する。
【０１１１】
トランジスタＴ１２(1)〜Ｔ１２(m)は、コントローラ１３からゲートにＬｏｗレベルの制御信号Ｃg2（以後、「制御信号Ｃg2(Low)」と記す。）が供給されてオフし、それぞれ、定電流源１７１(1)とデータラインＬd(1)、・・・、定電流源１７１(m)とデータラインＬd(m)と、の間を遮断する。
【０１１２】
トランジスタＴ１３(1)〜Ｔ１３(m)は、それぞれ、電流源１７１(1)〜１７１(m)の電流下流端とコントローラ１３のＡ／Ｄ変換器１３１とを接続、遮断するためのトランジスタである。
【０１１３】
トランジスタＴ１３(1)〜Ｔ１３(m)のドレインは、それぞれ、電流源１７１(1)〜１７１(m)の電流下流端に接続され、それぞれのソースは、コントローラ１３のＡ／Ｄ変換器１３１に接続され、ゲートは、コントローラ１３に接続されて制御信号Ｃg3が供給される。
コントローラ１３のＡ／Ｄ変換器１３１はトランジスタＴ１３(1)〜Ｔ１３(m)のそれぞれに対応してｍ個設けられており、それぞれがトランジスタＴ１３(1)〜Ｔ１３(m)のソースに接続されている。
【０１１４】
トランジスタＴ１３(1)〜Ｔ１３(m)は、それぞれ、ゲートにＨｉｇｈレベルの制御信号Ｃg3（以後、「制御信号Ｃg3(High)」と記す。）が供給されてオンし、電流源１７１(1)，・・・，１７１(m)の電流下流端とコントローラ１３のＡ／Ｄ変換器１３１とを接続する。
【０１１５】
トランジスタＴ１３(1)〜Ｔ１３(m)は、それぞれ、ゲートにＬｏｗレベルの制御信号Ｃg3（以後、「制御信号Ｃg3(Low)」と記す。）が供給されてオフし、電流源１７１(1)，・・・，１７１(m)の電流下流端とコントローラ１３のＡ／Ｄ変換器１３１との間を遮断する。
【０１１６】
次に本実施形態に係る表示装置１の動作を説明する。なお、図９においては、便宜上、トランジスタＴ１１、Ｔ１２、Ｔ１３をスイッチとして示している。
【０１１７】
実使用時前の工場出荷時、表示装置１は、各画素回路１１(1,1)〜１１(m,1)，・・・，１１(1,n)〜１１(m,n)の各トランジスタＴ３の閾値電圧Ｖth、βを取得する。
【０１１８】
まず、コントローラ１３は、オートゼロ法を用いて各画素回路１１(1,1)〜１１(m,1)，・・・，１１(1,n)〜１１(m,n)の各トランジスタＴ３の閾値電圧Ｖthを取得する。
【０１１９】
このため、コントローラ１３は、セレクトドライバ１４、電源ドライバ１５、データドライバ１６にスタート信号Ｓｐ、クロック信号ＣＬＫを供給する。
【０１２０】
セレクトドライバ１４、電源ドライバ１５、データドライバ１６は、コントローラ１３からスタート信号Ｓｐが供給されると動作を開始し、クロック信号ＣＬＫに従って動作する。
【０１２１】
セレクトドライバ１４は、動作を開始すると、順次、Ｈｉｇｈレベルの信号Ｖselect(1)，Ｖselect(2)，・・・，信号Ｖselect(n)を、セレクトラインＬs(1)，Ｌs(2)，・・・，Ｌs(n)に出力する。
【０１２２】
図８に示すように、セレクトドライバ１４が時刻ｔ１０において、Ｈｉｇｈレベルの信号Ｖselect(1)をセレクトラインＬs(1)に出力すると、画素回路１１(1,1)〜１１(m,1)の各トランジスタＴ１，Ｔ２がオンし、これによってトランジスタＴ３もオンする。
【０１２３】
このセレクトドライバ１４がＨｉｇｈレベルの信号Ｖselect(1)をセレクトラインＬs(1)に出力している期間が第１行目の選択期間となる。
【０１２４】
電源ドライバ１５は、電圧VLの電圧信号Ｖsource(1)を電圧ラインＬv(j)に印加する。
【０１２５】
画素回路１１(1,1)〜１１(m,1)のトランジスタＴ３がオンしても、電圧ラインＬv(1)の電圧が０Ｖであり、ＯＬＥＤ１１１のカソード電圧がＶcath＝０Ｖであるため、ＯＬＥＤ１１１に電流は流れない。
【０１２６】
コントローラ１３は、特性取得切り替え部１７に制御信号Cg1(High)、Cg2(Low)、Cg3(Low)を出力する。
【０１２７】
特性取得切り替え部１７のトランジスタＴ１１(1)〜Ｔ１１(m)は、それぞれ、ゲートに制御信号Cg1(High)が供給されてオンし、Ｄ／Ａ変換部１６３とデータラインＬd(1)〜Ｌd(m)とを接続する。
【０１２８】
トランジスタＴ１２(1)〜Ｔ１２(m)は、それぞれ、ゲートに制御信号Cg2(Low)が供給されてオフし、定電流源１７１(1)とデータラインＬd(1)、・・・、定電流源１７１(m)とデータラインＬd(m)と、の間を遮断する。
【０１２９】
トランジスタＴ１３(1)〜Ｔ１３(m)は、それぞれ、ゲートに制御信号Cg3(Low)が供給されてオフし、電流源１７１(1)，・・・，１７１(m)の電流下流端とコントローラ１３のＡ／Ｄ変換器１３１との間を遮断する。
【０１３０】
また、Ｄ／Ａ変換部１６３は、初期電圧Ｖprimaryの信号を特性取得切り替え部１７に出力する。
【０１３１】
図９（ａ）に示すように、初期電圧ＶprimaryがデータラインＬd(1)に印加されると、電流は、図中、矢印で示すように、電圧ラインＬv(1)から、トランジスタＴ３のドレイン−ソース、トランジスタＴ２のドレイン−ソース、データラインＬd(1)、トランジスタＴ１１(1)を経由してＤ／Ａ変換部１６３へと流れる。
【０１３２】
そして、画素回路１１(1,1)のキャパシタＣ１は、この初期電圧Ｖprimaryで充電される。同様に、画素回路１１(2,1)〜１１(m,1)の各キャパシタＣ１も、この初期電圧Ｖprimaryで充電される。
【０１３３】
キャパシタＣ１が初期電圧Ｖprimaryで充電されて、時刻ｔ１１になると、コントローラ１３は、制御信号Cg1(Low)を特性取得切り替え部１７に供給する。
【０１３４】
トランジスタＴ１１(1)〜Ｔ１１(m)は、それぞれ、ゲートに制御信号Cg1(Low)が供給されてオフする。図９（ｂ）に示すように、トランジスタＴ１１(1)がオフすると、トランジスタＴ３のドレイン電圧Ｖdsは、キャパシタＣ１を介して自然緩和されて、次第に低下する。
【０１３５】
時刻ｔ１１から緩和時間ｔが経過して時刻ｔ１２になると、ドレイン電圧Ｖdsが閾値電圧Ｖthまで低下してトランジスタＴ３には、ドレイン電流Ｉdがほとんど流れなくなる。セレクトドライバ１４は、セレクト信号Ｖselect(1)をＬｏｗレベルに立ち下げ、第１行目の選択期間が終了する。
【０１３６】
図８に示すように、第１行目の選択期間の終了後の時刻ｔ１３〜ｔ１４において、コントローラ１３は、特性取得切り替え部１７に、制御信号Cg3(High)を供給する。
【０１３７】
特性取得切り替え部１７のトランジスタＴ１３(1)〜Ｔ１３(m)は、ゲートに制御信号Cg3(High)が供給されると、図９（ｃ）に示すようにオンして、データラインＬd(1)〜Ｌd(m)とコントローラ１３のＡ／Ｄ変換器１３１とを接続する。
【０１３８】
Ａ／Ｄ変換器１３１は、データラインＬd(1)〜Ｌd(m)の電圧Ｖd(1)〜Ｖd(m)を並行して測定し、画素回路１１(1,1)〜１１(m,1)のトランジスタＴ３の閾値電圧Ｖthとして取得する。
【０１３９】
Ａ／Ｄ変換器１３１は、取得した画素回路１１(1,1)〜１１(m,1)のトランジスタＴ３の閾値電圧Ｖthを補正データ記憶部１３２の画素回路１１(1,1)〜１１(m,1)に対応する記憶領域に記憶する。
【０１４０】
同様にして、セレクトドライバ１４が第２行目、・・・、第ｎ行目の画素回路１１(i,j)を選択する各選択期間において、Ａ／Ｄ変換器１３１は、各画素回路１１(i,j)のトランジスタＴ３の閾値電圧Ｖthを取得して、取得した閾値電圧Ｖthを補正データ記憶部１３２の各記憶領域に記憶する。
【０１４１】
次に、表示装置１は、電流供給電圧測定方式に従って各画素回路１１(i,j)の電圧Ｖsinkを取得し、βを取得する。
【０１４２】
図１０に示すように、セレクトドライバ１４は、時刻ｔ２０において、Ｈｉｇｈレベルのセレクト信号Ｖselect(1)をセレクトラインＬs(1)に出力し、電源ドライバ１５は、電圧VLの電圧信号Ｖsouece(1)を電圧ラインＬv(1)に出力する。なお、図１０においても、便宜上、トランジスタＴ１１、Ｔ１２、Ｔ１３をスイッチとして示している。
【０１４３】
Ｈｉｇｈレベルのセレクト信号Ｖselect(1)がセレクトラインＬs(1)に出力されると、画素回路１１(1,1)〜１１(m,1)の各トランジスタＴ１，Ｔ２がオンし、これによってトランジスタＴ３もオンする。
【０１４４】
しかし、画素回路１１(1,1)〜１１(m,1)の各トランジスタＴ３がオンしても、電圧ラインＬv(1)の電圧が０Ｖであり、ＯＬＥＤ１１１のカソード電圧がＶcath＝０Ｖであるため、ＯＬＥＤ１１１に電流は流れない。
【０１４５】
コントローラ１３は、特性取得切り替え部１７に制御信号Cg1(Low)，Cg2(High)，Cg3(Low)を出力する。特性取得切り替え部１７のトランジスタＴ１１(1)〜Ｔ１１(m)は、それぞれ、ゲートに制御信号Cg1(Low)が供給されてオフし、Ｄ／Ａ変換部１６３とデータラインＬd(1)〜Ｌd(m)との間を遮断する。
【０１４６】
トランジスタＴ１２(1)〜Ｔ１２(m)は、それぞれ、ゲートに制御信号Cg2(High)が供給されてオンし、定電流源１７１(1)とデータラインＬd(1)、・・・、定電流源１７１(m)とデータラインＬd(m)とを接続する。
【０１４７】
図１１（ａ）に示すように、定電流源１７１(1)とデータラインＬd(1)とが接続されると、図中、矢印で示すように、引き込み電流Ｉsinkが、画素回路１１(1,1)のトランジスタＴ３のドレイン−ソース、トランジスタＴ２のドレイン−ソース、データラインＬd(1)、定電流源１７１(1)を経由して電圧Ｖssのラインへと流れる。
【０１４８】
このように引き込み電流Ｉsinkが流れると、データラインＬd(1)〜Ｌd(m)のそれぞれの電圧Ｖd(1)〜Ｖd(m)は、図１０に示すように低下していく。
【０１４９】
電圧Ｖd(1)〜Ｖd(m)が一定電圧になる時刻ｔ２１において、コントローラ１３は、特性取得切り替え部１７に、制御信号Cg3(High)を出力する。
【０１５０】
図１１（ｂ）に示すように、トランジスタＴ１３(1)〜Ｔ１３(m)は、ゲートに制御信号Cg3(High)が供給されてオンし、データラインＬd(1)〜Ｌd(m)とＡ／Ｄ変換器１３１とを接続する。
【０１５１】
Ａ／Ｄ変換器１３１は、データラインＬd(1)〜Ｌd(m)の電圧Ｖd(1)〜Ｖd(m)を測定し、測定した電圧Ｖd(1)〜Ｖd(m)を電圧Ｖsink(1)〜Ｖsink(m)として取得する。Ａ／Ｄ変換器１３１は、取得した電圧Ｖsinkを補正データ記憶部１３２の各画素回路１１(1,1)〜１１(m,1)に対応する記憶領域に記憶する。
【０１５２】
図１０に示すように、電圧Ｖsink(1)〜Ｖsink(m)を取得した後、時刻ｔ２２になると、セレクトドライバ１４は、セレクト信号Ｖselect(1)をＬｏｗレベルに立ち下げる。これにより、第１行目の選択期間が終了する。
【０１５３】
時刻ｔ２２の後、セレクトドライバ１４は、同様に、第２行目の画素回路１１(1,2)〜１１(m,2)，・・・，第ｎ行目の画素回路１１(1,n)〜１１(m,n)を選択する。
【０１５４】
Ａ／Ｄ変換器１３１は、各選択期間において、データラインＬd(1)〜Ｌd(m)の電圧を測定し、測定した電圧Ｖd(1)〜Ｖd(m)を、それぞれ、電圧Ｖsink(1)〜Ｖsink(m)として補正データ記憶部１３２の各記憶領域に記憶する。
【０１５５】
コントローラ１３の補正処理部１３３は、補正データ記憶部１３２から、行毎に閾値電圧Ｖth、電圧Ｖsinkを読み出し、式（７）に従って各画素回路１１(i,j)のβの演算を行う。
【０１５６】
補正処理部１３３は、演算により取得した各画素回路１１(i,j)のβを補正データ記憶部１３２に記憶する。
【０１５７】
このように補正処理部１３３が各画素回路１１(i,j)のβを補正データ記憶部１３２に記憶して、外部から映像信号Imageが供給されると、表示信号生成回路１２は、供給された映像信号Imageから画像データＰic、同期信号Ｓyncを取得してコントローラ１３に供給する。コントローラ１３は、供給された画像データＰicを補正データ記憶部１３２に記憶する。
【０１５８】
そして、コントローラ１３は、各画素回路１１(i,j)のキャパシタＣ１への電圧信号Ｓv(1)〜Ｓv(m)の書き込み処理を実行する。
【０１５９】
コントローラ１３は、特性取得切り替え部１７に制御信号Ｃg2(Low)，Ｃg3(Low)を出力し、コントローラ１３は、セレクトドライバ１４、電源ドライバ１５、データドライバ１６にスタート信号Ｓｐを出力する。
【０１６０】
セレクトドライバ１４、電源ドライバ１５、データドライバ１６は、コントローラ１３からスタート信号Ｓｐが供給されると動作を開始し、クロック信号ＣＬＫに従って動作する。
【０１６１】
セレクトドライバ１４は、動作を開始すると、図１２に示すように、時刻ｔ３１において、セレクトドライバ１４がＨｉレベルの信号Ｖselect(1)をセレクトラインＬs(1)に出力すると、画素回路１１(1,1)〜画素回路１１(m,1)のトランジスタＴ１，Ｔ２がオンし、トランジスタＴ３もオンする。
【０１６２】
しかし、カソード電圧Ｖcathが０Ｖであるため、電源ドライバ１５が電圧VL＝０Ｖの信号Ｖsource(1)を電圧ラインＬv(1)に出力しても、ＯＬＥＤ１１１に電流は流れない。
【０１６３】
コントローラ１３は、特性取得切り替え部１７に、制御信号Ｃg1(High)を出力する。特性取得切り替え部１７のトランジスタＴ１１(1)〜Ｔ１１(m)は、それぞれ、ゲートに制御信号Ｃg1(High)が供給されてオンし、Ｄ／Ａ変換部１６３とデータラインＬd(1)〜Ｌd(m)とを接続する。
【０１６４】
コントローラ１３の補正処理部１３３は、補正データ記憶部１３２から画像データＰic、各画素回路１１(i,j)のトランジスタＴ３の閾値電圧Ｖth、βを行毎に読み出して、式（５）に従って画像データＰicの階調値に対応する電圧値Ｖcodeを行毎に補正し、それぞれ、階調信号Ｓdata(1)〜Ｓdata(m)を取得する。
【０１６５】
コントローラ１３は、補正処理部１３３が取得した階調信号Ｓdata(1)〜Ｓdata(m)をデータドライバ１６に出力する。
【０１６６】
データドライバ１６のシフトレジスタ１６１は、コントローラ１３から供給されたデジタルの階調信号Ｓdata(1)〜Ｓdata(m)を順次、シフトしてデータラッチ部１６２に供給する。
【０１６７】
データラッチ部１６２は、この階調信号Ｓdata(1)〜Ｓdata(m)を保持し、Ｄ／Ａ変換部１６３は、データラッチ部１６２が保持したデジタルの階調信号Ｓdata(1)〜Ｓdata(m)を、それぞれ、アナログ値（負）の階調電圧Ｖdata(1)〜Ｖdata(m)に変換する。
【０１６８】
Ｄ／Ａ変換部１６３は、このアナログ値の階調電圧Ｖdata(1)〜Ｖdata(m)を有する電圧信号Ｓv(1)〜Ｓv(m)を特性取得切り替え部１７に供給する。Ｄ／Ａ変換部１６３とデータラインＬd(1)〜Ｌd(m)とが、それぞれ、トランジスタＴ１１(1)〜Ｔ１１(m)を介して接続されているため、電圧信号Ｓv(1)〜Ｓv(m)は、それぞれ、データラインＬd(1)〜Ｌd(m)に出力される。
【０１６９】
負電圧の電圧信号Ｓv(1)〜Ｓv(m)が、それぞれ、データラインＬd(1)〜Ｌd(m)に出力されると、電流が、電源ドライバ１５から、画素回路１１(1,1)，・・・，１１(m,1)、トランジスタＴ１１(1)〜Ｔ１１(m)を経由して、Ｄ／Ａ変換部１６３へと流れ込む。
【０１７０】
電流が流れることによって、画素回路１１(1,1)，・・・，１１(m,1)の各キャパシタＣ１は、電圧信号Ｓv(1)〜Ｓv(m)の階調電圧Ｖdata(1)〜Ｖdata(m)で充電される。
【０１７１】
時刻ｔ４１になると、セレクトドライバ１４は、セレクトラインＬs(1)に、信号Ｖselect(1)をＬｏｗレベルに立ち下げる。信号Ｖselect(1)がＬｏｗレベルに立ち下がると、画素回路１１(1,1)〜１１(m,1)の各トランジスタＴ１，Ｔ２はオフする。
【０１７２】
画素回路１１(1,1)〜１１(m,1)の各キャパシタＣ１は、それぞれ、充電された電圧信号Ｓv(1)〜Ｓv(m)の電圧を保持する。
【０１７３】
同様に、コントローラ１３は、第２行目の画素回路１１(1,2)〜１１(m,2)，・・・，第ｎ目の画素回路１１(1,n)〜１１(m,n)についても、第１行目と同様に、書き込み処理を実行し、各キャパシタＣ１は、充電された電圧信号Ｓv(1)〜Ｓv(m)の電圧を保持する。
【０１７４】
書き込み処理が完了すると、コントローラ１３は、発光動作を制御する。セレクトドライバ１４は、図１３に示すように、時刻ｔ５１において、Ｌｏｗレベルの信号Ｖselect(1)〜Ｖselect(n)を、それぞれ、セレクトラインＬs(1)〜Ｌs(n)に出力する。
【０１７５】
セレクトセレクトラインＬs(1)〜Ｌs(n)の信号レベルがＬｏｗレベルになると、すべての画素回路１１(i,j)のトランジスタＴ１，Ｔ２はオフし、トランジスタＴ３はフローティング状態となる。
【０１７６】
電源ドライバ１５は、電圧VH（＝＋１５Ｖ）の信号Ｖsource(1)〜Ｖsource(n)を、電圧ラインＬv(1)〜Ｌv(n)に出力する。
【０１７７】
電圧ラインＬv(1)〜Ｌv(n)の電圧がVHになると、各画素回路１１(i,j)のトランジスタＴ３は、各キャパシタＣ１によって保持されている電圧をゲート電圧Ｖgsとして、このゲート電圧Ｖgsに対応するドレイン電流ＩdをＯＬＥＤ１１１に供給する。
【０１７８】
そして、各ＯＬＥＤ１１１は、このドレイン電流Ｉdが流れることにより、この電流値に対応する輝度で発光する。
【０１７９】
以上説明したように、本実施形態によれば、各画素回路１１(i,j)のトランジスタＴ３の閾値電圧Ｖthを、オートゼロ法を用いて取得し、さらに、電流供給電圧測定方式に従って引き込み電流Ｉsinkを供給して電圧Ｖsinkを取得し、βを取得するようにした。
【０１８０】
従って、複雑な計算を行うことなく、各画素回路１１(i,j)のトランジスタＴ３の閾値電圧Ｖth，βを取得することができる。そして、閾値電圧Ｖthだけでなく、βに基づいて画像データＰicの補正を行うようにしたため、トランジスタＴ３の経時変化だけでなく、製造バラツキの補正を行うことができ、画質の低下を抑制することができる。
【０１８１】
また、コントローラ１３は、Ａ／Ｄ変換器１３１を備えるだけで、各画素回路１１(i,j)のトランジスタＴ３の閾値電圧Ｖthを測定することもできるし、電圧Ｖsinkを測定することができるので、回路も簡素化され、演算処理も容易となる。
【０１８２】
尚、本発明を実施するにあたっては、種々の形態が考えられ、上記実施形態に限られるものではない。
例えば、上記実施形態では、表示装置１は、各画素回路１１(i,j)のトランジスタＴ３の電圧−電流特性を取得する方式として、電流供給電圧測定方式について説明した。しかし、電圧印加電流測定方式を用いて各画素回路１１(i,j)のトランジスタＴ３の電圧−電流特性を取得するようにしてもよい。
【０１８３】
この場合、特性取得切り替え部１７は、予め電圧値が設定された電圧を印加する電圧源を備え、データドライバ１６のＤ／Ａ変換部１６３と、各データラインＬd(1)〜Ｌd(m)との間に電流計を備える。
【０１８４】
そして、特性取得切り替え部１７は、電圧源又はＤ／Ａ変換部１６３とデータラインＬd(1)〜Ｌd(m)とを接続する。あるいは、特性取得切り替え部１７が電圧源を備える代わりに、Ｄ／Ａ変換部１６３が各データラインＬd(1)〜Ｌd(m)に予め電圧値が設定された電圧を印加するようにしてもよい。
【０１８５】
また、上記実施形態では、コントローラ１３が電圧測定を行う時期も、工場出荷時に限られるものではなく、例えば、製品出荷後、表示装置１の電源が、最初に投入されたときであってもよい。
【０１８６】
上記実施形態では、特性取得切り替え部１７はデータドライバ１６とは別個に設けられている構成として説明した。しかし、データドライバ１６が特性取得切り替え部１７を内蔵しているようにしてもよい。
【０１８７】
上記実施形態では、コントローラ１３がＡ／Ｄ変換器１３１を複数備えるようにした。しかし、データドライバ１６がＡ／Ｄ変換器１３１を複数備え、各々がトランジスタＴ１３のソースに接続されて設けられるようにしてもよい。
【０１８８】
また、上記実施形態では、Ａ／Ｄ変換器１３１をＯＥＬパネル１１の列数と同じ数だけ備えて、電圧Ｖdの測定を並行して行うものとしたが、例えば、Ａ／Ｄ変換器１３１をＯＥＬパネル１１の列数より少ない数だけ備えて、各データラインと各Ａ／Ｄ変換器１３１との接続を順次切り替えて電圧Ｖdの測定を行うものであってもよく、更には、Ａ／Ｄ変換器１３１を１つだけ備えて、データライン毎に順次切り替えて電圧Ｖdの測定を行うものであってもよい。この場合、全データラインの電圧Ｖdの測定に要する時間は、Ａ／Ｄ変換器１３１を複数備える場合に比して増加するが、回路規模を縮小することができる。
【０１８９】
上記実施形態では、画素回路１１(i,j)の構成として、トランジスタ３個によって構成される画素回路について説明した。しかし、画素回路１１(i,j)は、このものに限られるものではなく、例えば、トランジスタ２個によって構成される画素回路であってもよいし、４個以上のトランジスタによって構成される画素回路であってもよい。
【０１９０】
また、上記実施形態においては、本発明を、ＯＥＬパネル１１を有する表示装置１に適用した場合について説明したが、本発明はこれに限るものではない。例えば、ＯＬＥＤ１１１による発光素子を有する複数の画素が一方向に配列された、発光素子アレイを備え、感光体ドラムに画像データに応じて発光素子アレイから出射した光を照射して露光する露光装置に適用してもよい。この場合、経時劣化や特性のバラツキによる露光状態の劣化を抑制することができる。
【符号の説明】
【０１９１】
１・・・表示装置、１１・・・ＯＥＬパネル、１１(i,j)・・・画素回路、１３・・・コントローラ、１６・・・データドライバ、１７・・・特性取得切り替え部
【図１】
2010237581.tif 000010
【図２】
2010237581.tif 000011
【図３】
2010237581.tif 000012
【図４】
2010237581.tif 000013
【図５】
2010237581.tif 000014
【図６】
2010237581.tif 000015
【図７】
2010237581.tif 000016
【図８】
2010237581.tif 000017
【図９】
2010237581.tif 000018
【図１０】
2010237581.tif 000019
【図１１】
2010237581.tif 000020
【図１２】
2010237581.tif 000021
【図１３】
2010237581.tif 000022